(57)【要約】【課題】携帯端末でＷｅｂサイトの広告を閲覧したユーザが、自身のＰＣを起動した際に、同じ広告主の広告を表示する。【解決手段】携帯端末識別子及びユーザ識別子が登録されたテーブルと、ＰＣ識別子及びユーザ識別子が登録されたテーブルと、広告識別子、携帯端末用広告主アドレス及びＰＣ用広告主アドレスが登録されたテーブルとを格納し、携帯端末から携帯端末識別子、広告識別子、及びコンテンツ提供者識別子を受信し、テーブルからユーザ識別子を抽出する広告配信部と、ユーザ識別子、広告識別子及びコンテンツ提供者識別子を１レコードとして広告閲覧履歴テーブルを作成する閲覧履歴管理部と、広告閲覧履歴テーブルがＰＣ識別子に対応するユーザ識別子と同一のユーザ識別子を有する場合には、該レコードに含まれる広告識別子に対応するＰＣ用広告主アドレスをＰＣに送信する端末管理部とを備える。【選択図】図２
2011258132.tif 000002
【特許請求の範囲】
【請求項１】
Ｗｅｂページを携帯端末に配信する携帯端末用コンテンツ提供者サーバと、携帯端末用コンテンツ提供者サーバが携帯端末にＷｅｂページを配信する際に、Ｗｅｂページの内容に関連した広告を配信する広告配信装置と、携帯端末に携帯電話網を介して携帯端末用の広告コンテンツを提供し、情報通信端末にインターネット網を介して情報通信端末用の広告コンテンツを提供する広告主サーバとを備える端末連携型広告配信システムであって、
前記広告配信装置は、携帯端末を一意に識別する携帯端末識別子、及び当該システムを利用するユーザを一意に識別するユーザ識別子が予め関連付けて登録された携帯端末管理テーブルと、情報通信端末を一意に識別する情報通信端末識別子、及び前記ユーザ識別子が予め関連付けて登録された情報通信端末管理テーブルと、ユーザが選択した広告を一意に識別する広告識別子、携帯端末用広告主サイトアドレス、及び情報通信端末用広告主サイトアドレスが予め関連付けて登録された広告管理テーブルとを格納する記憶部と、
前記携帯端末用コンテンツ提供者サーバが提供するＷｅｂページの内容に関連した広告を前記携帯端末に配信し、前記携帯端末によって該広告が選択されると、前記携帯端末から、携帯端末識別子、広告識別子、及びコンテンツ提供者識別子を受信し、前記携帯端末管理テーブルを参照して該受信した携帯端末識別子に対応するユーザ識別子を抽出するとともに、前記広告管理テーブルを参照して該抽出した広告識別子に対応する携帯端末用広告主サイトアドレスを抽出して前記携帯端末に送信する広告配信部と、
前記広告配信部によって抽出したユーザ識別子と、前記広告配信部によって受信した広告識別子及びコンテンツ提供者識別子とを組み合わせて１レコードとして記録した広告閲覧履歴テーブルを作成して管理する閲覧履歴管理部と、
前記情報通信端末管理テーブルを参照して前記情報通信端末から受信した情報通信端末識別子に対応するユーザ識別子を抽出し、前記広告閲覧履歴テーブルに該抽出したユーザ識別子と同一のユーザ識別子を有するレコードが存在するか確認し、該レコードが存在する場合には、前記広告管理テーブルを参照して該レコードに含まれる広告識別子に対応付けられた情報通信端末用広告主サイトアドレスを抽出して前記情報通信端末に送信する端末管理部とを備え、
前記携帯端末は、前記広告配信装置によって配信された広告を含む携帯端末用Ｗｅｂページを画面上に表示し、該広告が選択されると、前記広告配信部に対して、前記携帯端末識別子、前記広告識別子、及び前記コンテンツ提供者識別子を送信し、前記広告配信部から前記携帯端末用広告主サイトアドレスを受信すると、該携帯端末用広告主サイトアドレスを有する前記広告主サーバから携帯端末用の広告コンテンツを受信して画面上に表示するＷｅｂ閲覧部を備え、
前記情報通信端末は、前記情報通信端末識別子を前記端末管理部に送信し、前記端末管理部から前記情報通信端末用広告主サイトアドレスを受信すると、該情報通信端末用広告主サイトアドレスを有する前記広告主サーバから情報通信端末用の広告コンテンツを受信して画面上に表示する広告提示部を備えることを特徴とする端末連携型広告配信システム。
【請求項２】
前記広告管理テーブルは、更に、前記広告識別子に関連付けられた、前記広告識別子を有する広告の携帯端末用広告料を示す値、及び前記広告識別子を有する広告の情報通信端末用広告料を示す値が予め登録されており、
前記広告配信部は、前記広告管理テーブルを参照して、前記携帯端末から受信した広告識別子に対応する携帯端末用広告料を示す値を抽出し、前記携帯端末用コンテンツ提供者サーバに支払われる広告料に加算する手段を有し、
前記端末管理部は、前記広告管理テーブルを参照して、前記情報通信端末管理テーブルを参照して抽出したユーザ識別子と同一のユーザ識別子を有するレコードに含まれる広告識別子に対応する情報通信端末用広告料を示す値を抽出し、前記携帯端末用コンテンツ提供者サーバに支払われる広告料に加算する手段を有する
ことを特徴とする、請求項１に記載の端末連携型広告配信システム。
【請求項３】
前記閲覧履歴管理部は、前記端末管理部が前記広告識別子に対応付けられた情報通信端末用広告主サイトアドレスを前記情報通信端末に送信すると、前記広告閲覧履歴テーブルから該広告識別子を含むレコードを削除する手段を有することを特徴とする、請求項１又は２に記載の端末連携型広告配信システム。
【請求項４】
前記閲覧履歴管理部は、前記広告閲覧履歴テーブルのレコードを、記録された時間から所定の時間が経過すると削除する手段を有することを特徴とする、請求項１から３のいずれか一項に記載の端末連携型広告配信システム。
【請求項５】
Ｗｅｂページを携帯端末に配信する携帯端末用コンテンツ提供者サーバが携帯端末にＷｅｂページを配信する際に、Ｗｅｂページの内容に関連した広告を配信する広告配信装置であって、
携帯端末を一意に識別する携帯端末識別子、及び当該システムを利用するユーザを一意に識別するユーザ識別子が予め関連付けて登録された携帯端末管理テーブルと、情報通信端末を一意に識別する情報通信端末識別子、及び前記ユーザ識別子が予め関連付けて登録された情報通信端末管理テーブルと、ユーザが選択した広告を一意に識別する広告識別子、携帯端末用広告主サイトアドレス、及び情報通信端末用広告主サイトアドレスが予め関連付けて登録された広告管理テーブルとを格納する記憶部と、
前記携帯端末用コンテンツ提供者サーバが提供するＷｅｂページの内容に関連した広告を前記携帯端末に配信し、前記携帯端末によって該広告が選択されると、前記携帯端末から、携帯端末識別子、広告識別子、及びコンテンツ提供者識別子を受信し、前記携帯端末管理テーブルを参照して該受信した携帯端末識別子に対応するユーザ識別子を抽出するとともに、前記広告管理テーブルを参照して該抽出した広告識別子に対応する携帯端末用広告主サイトアドレスを抽出して前記携帯端末に送信する広告配信部と、
前記広告配信部によって抽出したユーザ識別子と、前記広告配信部によって受信した広告識別子及びコンテンツ提供者識別子とを組み合わせて１レコードとして記録した広告閲覧履歴テーブルを作成して管理する閲覧履歴管理部と、
前記情報通信端末管理テーブルを参照して前記情報通信端末から受信した情報通信端末識別子に対応するユーザ識別子を抽出し、前記広告閲覧履歴テーブルに該抽出したユーザ識別子と同一のユーザ識別子を有するレコードが存在するか確認し、該レコードが存在する場合には、前記広告管理テーブルを参照して該レコードに含まれる広告識別子に対応付けられた情報通信端末用広告主サイトアドレスを抽出して前記情報通信端末に送信する端末管理部と、
を備えることを特徴とする広告配信装置。
【請求項６】
前記広告管理テーブルは、更に、前記広告識別子に関連付けられた、前記広告識別子を有する広告の携帯端末用広告料を示す値、及び前記広告識別子を有する広告の情報通信端末用広告料を示す値が予め登録されており、
前記広告配信部は、前記広告管理テーブルを参照して、前記携帯端末から受信した広告識別子に対応する携帯端末用広告料を示す値を抽出し、前記携帯端末用コンテンツ提供者サーバに支払われる広告料に加算する手段を有し、
前記端末管理部は、前記広告管理テーブルを参照して、前記情報通信端末管理テーブルを参照して抽出したユーザ識別子と同一のユーザ識別子を有するレコードに含まれる広告識別子に対応する情報通信端末用広告料を示す値を抽出し、前記携帯端末用コンテンツ提供者サーバに支払われる広告料に加算する手段を有する
ことを特徴とする、請求項５に記載の広告配信装置。
【請求項７】
前記閲覧履歴管理部は、前記端末管理部が前記広告識別子に対応付けられた情報通信端末用広告主サイトアドレスを前記情報通信端末に送信すると、前記広告閲覧履歴テーブルから該広告識別子を含むレコードを削除する手段を有することを特徴とする、請求項５又は６に記載の広告配信装置。
【請求項８】
前記閲覧履歴管理部は、前記広告閲覧履歴テーブルのレコードを、記録された時間から所定の時間が経過すると削除する手段を有することを特徴とする、請求項５から７のいずれか一項に記載の広告配信装置。
【請求項９】
Ｗｅｂページを携帯端末に配信する携帯端末用コンテンツ提供者サーバが携帯端末にＷｅｂページを配信する際に、Ｗｅｂページの内容に関連した広告を配信する広告配信装置における広告配信方法であって、
前記広告配信装置は、携帯端末を一意に識別する携帯端末識別子、及び当該システムを利用するユーザを一意に識別するユーザ識別子が予め関連付けて登録された携帯端末管理テーブルと、情報通信端末を一意に識別する情報通信端末識別子、及び前記ユーザ識別子が予め関連付けて登録された情報通信端末管理テーブルと、ユーザが選択した広告を一意に識別する広告識別子、携帯端末用広告主サイトアドレス、及び情報通信端末用広告主サイトアドレスが予め関連付けて登録された広告管理テーブルとを格納する記憶部と、広告配信部と、閲覧履歴管理部と、端末管理部とを備えており、
（ａ）前記広告配信部により、前記携帯端末用コンテンツ提供者サーバが提供するＷｅｂページの内容に関連した広告を前記携帯端末に配信するステップと、
（ｂ）前記広告配信部により、前記携帯端末によって前記配信した広告が選択されると、前記携帯端末から、前記携帯端末識別子、前記広告識別子、及び前記コンテンツ提供者識別子を受信するとともに、前記携帯端末管理テーブルを参照して該受信した携帯端末識別子に対応する前記ユーザ識別子を抽出するステップと、
（ｃ）前記閲覧履歴管理部により、前記ステップ（ｂ）にて抽出したユーザ識別子、受信した広告識別子、及び受信したコンテンツ提供者識別子を、組み合わせて１レコードとして記録した広告閲覧履歴テーブルを作成して管理するステップと、
（ｄ）前記広告配信部により、前記広告管理テーブルを参照して前記ステップ（ｂ）にて受信した広告識別子に対応する携帯端末用広告主サイトアドレスを抽出して前記携帯端末に送信するステップと、
（ｅ）前記ステップ（ｄ）の後に、前記端末管理部により、前記情報通信端末から前記情報通信端末識別子を受信し、前記情報通信端末管理テーブルを参照して該受信した情報通信端末識別子に対応するユーザ識別子を抽出するステップと、
（ｆ）前記端末管理部により、前記広告閲覧履歴テーブルに前記ステップ（ｅ）により抽出したユーザ識別子と同一のユーザ識別子を有するレコードが存在するか確認し、該レコードが存在する場合には、前記広告管理テーブルを参照して該レコードに含まれる広告識別子に対応付けられた情報通信端末用広告主サイトアドレスを抽出して前記情報通信端末に送信するステップと、
を含むことを特徴とする広告配信方法。
【請求項１０】
携帯端末を一意に識別する携帯端末識別子、及び当該システムを利用するユーザを一意に識別するユーザ識別子が予め関連付けて登録された携帯端末管理テーブルと、情報通信端末を一意に識別する情報通信端末識別子、及び前記ユーザ識別子が予め関連付けて登録された情報通信端末管理テーブルと、ユーザが選択した広告を一意に識別する広告識別子、携帯端末用広告主サイトアドレス、及び情報通信端末用広告主サイトアドレスが予め関連付けて登録された広告管理テーブルとを格納する記憶部を備えた広告配信装置を構成するコンピュータに、
（ａ）前記携帯端末用コンテンツ提供者サーバが提供するＷｅｂページの内容に関連した広告を前記携帯端末に配信するステップと、
（ｂ）前記携帯端末によって前記配信した広告が選択されると、前記携帯端末から、前記携帯端末識別子、前記広告識別子、及び前記コンテンツ提供者識別子を受信するとともに、前記携帯端末管理テーブルを参照して該受信した携帯端末識別子に対応する前記ユーザ識別子を抽出するステップと、
（ｃ）前記ステップ（ｂ）にて抽出したユーザ識別子、受信した広告識別子、及び受信したコンテンツ提供者識別子を、組み合わせて１レコードとして記録した広告閲覧履歴テーブルを作成して管理するステップと、
（ｄ）前記広告管理テーブルを参照して前記ステップ（ｂ）にて受信した広告識別子に対応する携帯端末用広告主サイトアドレスを抽出して前記携帯端末に送信するステップと、
（ｅ）前記ステップ（ｄ）の後に、前記情報通信端末から前記情報通信端末識別子を受信し、前記情報通信端末管理テーブルを参照して該受信した情報通信端末識別子に対応するユーザ識別子を抽出するステップと、
（ｆ）前記広告閲覧履歴テーブルに前記ステップ（ｅ）により抽出したユーザ識別子と同一のユーザ識別子を有するレコードが存在するか確認し、該レコードが存在する場合には、前記広告管理テーブルを参照して該レコードに含まれる広告識別子に対応付けられた情報通信端末用広告主サイトアドレスを抽出して前記情報通信端末に送信するステップと、
を実行させるためのプログラム。
【発明の詳細な説明】
【技術分野】
【０００１】
本発明は、ユーザが携帯端末のＷｅｂページ上に配信された広告情報をクリックした際に、広告主のＷｅｂページを直接提示するだけではなく、同一ユーザが後からパーソナルコンピュータ（ＰＣ）を利用した時に、携帯端末よりも高精細な動画やユーザの興味をひくインタラクティブなコンテンツを広告主が提供することを可能とする、端末連携型広告配信システム、広告配信装置、広告配信方法及びプログラムに関する。
【背景技術】
【０００２】
従来、Ｗｅｂページ上の広告配信システムとして、ユーザがあるＷｅｂページを閲覧しようとすると、そのページの内容に関連のある広告を広告配信サーバが配信し、その広告が埋め込まれたＷｅｂページをユーザに提示し、ユーザが広告をクリックして広告主のページにアクセスすると、広告配信システムが広告主から受け取る広告料の一部を、ユーザが閲覧したＷｅｂページの提供者に支払う広告配信システムが知られている（例えば、非特許文献１参照）。
【先行技術文献】
【非特許文献】
【０００３】
【非特許文献１】“Google AdSense”［online］、［平成２２年６月１１日検索］、インターネット<https://www.google.com/adsense/login/ja/>
【発明の概要】
【発明が解決しようとする課題】
【０００４】
しかし、従来の方式では、例えばユーザが携帯端末でＷｅｂ閲覧をしている際に広告をクリックすると、携帯端末用の広告主のページが提示されるが、携帯端末で閲覧可能なコンテンツには画面のサイズ・端末性能・通信ネットワークの帯域等の制限があるため、広告主がより自社の製品やサービスを訴求できる詳細な画像や映像等を含んだＷｅｂページをユーザに提示することができないという問題があった。
【０００５】
本発明の目的は、上記問題を解決するため、携帯端末でＷｅｂサイトの広告を閲覧したユーザが、自身のＰＣを起動した際、ユーザ自身が操作をすることなく、同じ広告主の広告を、携帯端末に比べてより大きな画面・高精細な動画で閲覧できるようにする、端末連携型広告配信システム、広告配信装置、広告配信方法及びプログラムを提供することにある。
【課題を解決するための手段】
【０００６】
上記課題を解決するため、本発明に係る端末連携型広告配信システムは、Ｗｅｂページを携帯端末（例えば、携帯電話）に配信する携帯端末用コンテンツ提供者サーバと、携帯端末用コンテンツ提供者サーバが携帯端末にＷｅｂページを配信する際に、Ｗｅｂページの内容に関連した広告を配信する広告配信装置と、携帯端末に携帯電話網を介して携帯端末用の広告コンテンツを提供し、情報通信端末（例えば、ＰＣ）にインターネット網を介して情報通信端末用の広告コンテンツを提供する広告主サーバとを備える端末連携型広告配信システムであって、前記広告配信装置は、携帯端末を一意に識別する携帯端末識別子、及び当該システムを利用するユーザを一意に識別するユーザ識別子が予め関連付けて登録された携帯端末管理テーブルと、情報通信端末を一意に識別する情報通信端末識別子（ＰＣ識別子）、及び前記ユーザ識別子が予め関連付けて登録された情報通信端末管理テーブル（ＰＣ管理テーブル）と、ユーザが選択した広告を一意に識別する広告識別子、携帯端末用広告主サイトアドレス、及び情報通信端末用広告主サイトアドレス（ＰＣ用広告主サイトアドレス）が予め関連付けて登録された広告管理テーブルとを格納する記憶部と、前記携帯端末用コンテンツ提供者サーバが提供するＷｅｂページの内容に関連した広告を前記携帯端末に配信し、前記携帯端末によって該広告が選択されると、前記携帯端末から、携帯端末識別子、広告識別子、及びコンテンツ提供者識別子を受信し、前記携帯端末管理テーブルを参照して該受信した携帯端末識別子に対応するユーザ識別子を抽出するとともに、前記広告管理テーブルを参照して該抽出した広告識別子に対応する携帯端末用広告主サイトアドレスを抽出して前記携帯端末に送信する広告配信部と、前記広告配信部によって抽出したユーザ識別子と、前記広告配信部によって受信した広告識別子及びコンテンツ提供者識別子とを組み合わせて１レコードとして記録した広告閲覧履歴テーブルを作成して管理する閲覧履歴管理部と、前記情報通信端末管理テーブルを参照して前記情報通信端末から受信した情報通信端末識別子に対応するユーザ識別子を抽出し、前記広告閲覧履歴テーブルに該抽出したユーザ識別子と同一のユーザ識別子を有するレコードが存在するか確認し、該レコードが存在する場合には、前記広告管理テーブルを参照して該レコードに含まれる広告識別子に対応付けられた情報通信端末用広告主サイトアドレスを抽出して前記情報通信端末に送信する端末管理部とを備え、前記携帯端末は、前記広告配信装置によって配信された広告を含む携帯端末用Ｗｅｂページを画面上に表示し、該広告が選択されると、前記広告配信部に対して、前記携帯端末識別子、前記広告識別子、及び前記コンテンツ提供者識別子を送信し、前記広告配信部から前記携帯端末用広告主サイトアドレスを受信すると、該携帯端末用広告主サイトアドレスを有する前記広告主サーバから携帯端末用の広告コンテンツを受信して画面上に表示するＷｅｂ閲覧部を備え、前記情報通信端末は、前記情報通信端末識別子を前記端末管理部に送信し、前記端末管理部から前記情報通信端末用広告主サイトアドレスを受信すると、該情報通信端末用広告主サイトアドレスを有する前記広告主サーバから情報通信端末用の広告コンテンツを受信して画面上に表示する広告提示部を備えることを特徴とする。
【０００７】
また、本発明に係る端末連携型広告配信システムにおいて、前記広告管理テーブルは、更に、前記広告識別子に関連付けられた、前記広告識別子を有する広告の携帯端末用広告料を示す値、及び前記広告識別子を有する広告の情報通信端末用広告料を示す値が予め登録されており、前記広告配信部は、前記広告管理テーブルを参照して、前記携帯端末から受信した広告識別子に対応する携帯端末用広告料を示す値を抽出し、前記携帯端末用コンテンツ提供者サーバに支払われる広告料に加算する手段を有し、前記端末管理部は、前記広告管理テーブルを参照して、前記情報通信端末管理テーブルを参照して抽出したユーザ識別子と同一のユーザ識別子を有するレコードに含まれる広告識別子に対応する情報通信端末用広告料を示す値を抽出し、前記携帯端末用コンテンツ提供者サーバに支払われる広告料に加算する手段を有することを特徴とする。
【０００８】
また、本発明に係る端末連携型広告配信システムにおいて、前記閲覧履歴管理部は、前記端末管理部が前記広告識別子に対応付けられた情報通信端末用広告主サイトアドレスを前記情報通信端末に送信すると、前記広告閲覧履歴テーブルから該広告識別子を含むレコードを削除する手段を有することを特徴とする。
【０００９】
また、本発明に係る端末連携型広告配信システムにおいて、前記閲覧履歴管理部は、前記広告閲覧履歴テーブルのレコードを、記録された時間から所定の時間が経過すると削除する手段を有することを特徴とする。
【００１０】
さらに、上記課題を解決するため、本発明に係る広告配信装置は、Ｗｅｂページを携帯端末に配信する携帯端末用コンテンツ提供者サーバが携帯端末にＷｅｂページを配信する際に、Ｗｅｂページの内容に関連した広告を配信する広告配信装置であって、携帯端末を一意に識別する携帯端末識別子、及び当該システムを利用するユーザを一意に識別するユーザ識別子が予め関連付けて登録された携帯端末管理テーブルと、情報通信端末を一意に識別する情報通信端末識別子、及び前記ユーザ識別子が予め関連付けて登録された情報通信端末管理テーブルと、ユーザが選択した広告を一意に識別する広告識別子、携帯端末用広告主サイトアドレス、及び情報通信端末用広告主サイトアドレスが予め関連付けて登録された広告管理テーブルとを格納する記憶部と、前記携帯端末用コンテンツ提供者サーバが提供するＷｅｂページの内容に関連した広告を前記携帯端末に配信し、前記携帯端末によって該広告が選択されると、前記携帯端末から、携帯端末識別子、広告識別子、及びコンテンツ提供者識別子を受信し、前記携帯端末管理テーブルを参照して該受信した携帯端末識別子に対応するユーザ識別子を抽出するとともに、前記広告管理テーブルを参照して該抽出した広告識別子に対応する携帯端末用広告主サイトアドレスを抽出して前記携帯端末に送信する広告配信部と、前記広告配信部によって抽出したユーザ識別子と、前記広告配信部によって受信した広告識別子及びコンテンツ提供者識別子とを組み合わせて１レコードとして記録した広告閲覧履歴テーブルを作成して管理する閲覧履歴管理部と、前記情報通信端末管理テーブルを参照して前記情報通信端末から受信した情報通信端末識別子に対応するユーザ識別子を抽出し、前記広告閲覧履歴テーブルに該抽出したユーザ識別子と同一のユーザ識別子を有するレコードが存在するか確認し、該レコードが存在する場合には、前記広告管理テーブルを参照して該レコードに含まれる広告識別子に対応付けられた情報通信端末用広告主サイトアドレスを抽出して前記情報通信端末に送信する端末管理部と、を備えることを特徴とする。
【００１１】
また、本発明に係る広告配信装置において、前記広告管理テーブルは、更に、前記広告識別子に関連付けられた、前記広告識別子を有する広告の携帯端末用広告料を示す値、及び前記広告識別子を有する広告の情報通信端末用広告料を示す値が予め登録されており、  前記広告配信部は、前記広告管理テーブルを参照して、前記携帯端末から受信した広告識別子に対応する携帯端末用広告料を示す値を抽出し、前記携帯端末用コンテンツ提供者サーバに支払われる広告料に加算する手段を有し、前記端末管理部は、前記広告管理テーブルを参照して、前記情報通信端末管理テーブルを参照して抽出したユーザ識別子と同一のユーザ識別子を有するレコードに含まれる広告識別子に対応する情報通信端末用広告料を示す値を抽出し、前記携帯端末用コンテンツ提供者サーバに支払われる広告料に加算する手段を有することを特徴とする。
【００１２】
また、本発明に係る広告配信装置において、前記閲覧履歴管理部は、前記端末管理部が前記広告識別子に対応付けられた情報通信端末用広告主サイトアドレスを前記情報通信端末に送信すると、前記広告閲覧履歴テーブルから該広告識別子を含むレコードを削除する手段を有することを特徴とする。
【００１３】
また、本発明に係る広告配信装置において、前記閲覧履歴管理部は、前記広告閲覧履歴テーブルのレコードを、記録された時間から所定の時間が経過すると削除する手段を有することを特徴とする。
【００１４】
さらに、上記課題を解決するため、本発明に係る広告配信方法は、Ｗｅｂページを携帯端末に配信する携帯端末用コンテンツ提供者サーバが携帯端末にＷｅｂページを配信する際に、Ｗｅｂページの内容に関連した広告を配信する広告配信装置における広告配信方法であって、前記広告配信装置は、携帯端末を一意に識別する携帯端末識別子、及び当該システムを利用するユーザを一意に識別するユーザ識別子が予め関連付けて登録された携帯端末管理テーブルと、情報通信端末を一意に識別する情報通信端末識別子、及び前記ユーザ識別子が予め関連付けて登録された情報通信端末管理テーブルと、ユーザが選択した広告を一意に識別する広告識別子、携帯端末用広告主サイトアドレス、及び情報通信端末用広告主サイトアドレスが予め関連付けて登録された広告管理テーブルとを格納する記憶部と、広告配信部と、閲覧履歴管理部と、端末管理部とを備えており、（ａ）前記広告配信部により、前記携帯端末用コンテンツ提供者サーバが提供するＷｅｂページの内容に関連した広告を前記携帯端末に配信するステップと、（ｂ）前記広告配信部により、前記携帯端末によって前記配信した広告が選択されると、前記携帯端末から、前記携帯端末識別子、前記広告識別子、及び前記コンテンツ提供者識別子を受信するとともに、前記携帯端末管理テーブルを参照して該受信した携帯端末識別子に対応する前記ユーザ識別子を抽出するステップと、（ｃ）前記閲覧履歴管理部により、前記ステップ（ｂ）にて抽出したユーザ識別子、受信した広告識別子、及び受信したコンテンツ提供者識別子を、組み合わせて１レコードとして記録した広告閲覧履歴テーブルを作成して管理するステップと、（ｄ）前記広告配信部により、前記広告管理テーブルを参照して前記ステップ（ｂ）にて受信した広告識別子に対応する携帯端末用広告主サイトアドレスを抽出して前記携帯端末に送信するステップと、（ｅ）前記ステップ（ｄ）の後に、前記端末管理部により、前記情報通信端末から前記情報通信端末識別子を受信し、前記情報通信端末管理テーブルを参照して該受信した情報通信端末識別子に対応するユーザ識別子を抽出するステップと、（ｆ）前記端末管理部により、前記広告閲覧履歴テーブルに前記ステップ（ｅ）により抽出したユーザ識別子と同一のユーザ識別子を有するレコードが存在するか確認し、該レコードが存在する場合には、前記広告管理テーブルを参照して該レコードに含まれる広告識別子に対応付けられた情報通信端末用広告主サイトアドレスを抽出して前記情報通信端末に送信するステップと、を含むことを特徴とする。
【００１５】
さらに、上記課題を解決するため、本発明は、携帯端末を一意に識別する携帯端末識別子、及び当該システムを利用するユーザを一意に識別するユーザ識別子が予め関連付けて登録された携帯端末管理テーブルと、情報通信端末を一意に識別する情報通信端末識別子、及び前記ユーザ識別子が予め関連付けて登録された情報通信端末管理テーブルと、ユーザが選択した広告を一意に識別する広告識別子、携帯端末用広告主サイトアドレス、及び情報通信端末用広告主サイトアドレスが予め関連付けて登録された広告管理テーブルとを格納する記憶部を備えた広告配信装置を構成するコンピュータに、（ａ）前記携帯端末用コンテンツ提供者サーバが提供するＷｅｂページの内容に関連した広告を前記携帯端末に配信するステップと、（ｂ）前記携帯端末によって前記配信した広告が選択されると、前記携帯端末から、前記携帯端末識別子、前記広告識別子、及び前記コンテンツ提供者識別子を受信するとともに、前記携帯端末管理テーブルを参照して該受信した携帯端末識別子に対応する前記ユーザ識別子を抽出するステップと、（ｃ）前記ステップ（ｂ）にて抽出したユーザ識別子、受信した広告識別子、及び受信したコンテンツ提供者識別子を、組み合わせて１レコードとして記録した広告閲覧履歴テーブルを作成して管理するステップと、（ｄ）前記広告管理テーブルを参照して前記ステップ（ｂ）にて受信した広告識別子に対応する携帯端末用広告主サイトアドレスを抽出して前記携帯端末に送信するステップと、（ｅ）前記ステップ（ｄ）の後に、前記情報通信端末から前記情報通信端末識別子を受信し、前記情報通信端末管理テーブルを参照して該受信した情報通信端末識別子に対応するユーザ識別子を抽出するステップと、（ｆ）前記広告閲覧履歴テーブルに前記ステップ（ｅ）により抽出したユーザ識別子と同一のユーザ識別子を有するレコードが存在するか確認し、該レコードが存在する場合には、前記広告管理テーブルを参照して該レコードに含まれる広告識別子に対応付けられた情報通信端末用広告主サイトアドレスを抽出して前記情報通信端末に送信するステップと、を実行させるためのプログラムとしても特徴付けられる。
【発明の効果】
【００１６】
本発明によれば、携帯端末における広告の閲覧履歴と、同一ユーザが利用する携帯端末及びＰＣとの対応関係を管理することにより、携帯端末でＷｅｂサイトの広告を閲覧したユーザが、自身のＰＣを起動した際に、ユーザ自身が操作をすることなく、同じ広告主の広告を、携帯端末よりも大きな画面で高精細な動画を閲覧することができるようになる。
【００１７】
つまり、従来の方法では、ユーザが携帯端末のＷｅｂページに掲載されている広告を選択した際には、広告主は携帯端末の画面や通信速度の制約の中で限られたコンテンツしか提示できなかったが、本発明によれば、携帯端末で広告を閲覧したユーザがより高性能なＰＣを立ち上げた際に、広告主はそれに関連したコンテンツを配信することが可能となる。そのため、広告主にとってはユーザへの自社製品・サービスのアピールをより高めることができ、ユーザにとっても、自身が興味を持った製品・サービスについての情報を、容易に収集することができるようになる。
【図面の簡単な説明】
【００１８】
【図１】本発明による一実施例の端末連携型広告配信システムの概略を示すブロック図である。
【図２】本発明による一実施例の端末連携型広告配信システムの構成を示すブロック図である。
【図３】本発明による一実施例の広告閲覧履歴テーブルを示す図である。
【図４】本発明による一実施例の携帯端末管理テーブルを示す図である。
【図５】本発明による一実施例の広告管理テーブルを示す図である。
【図６】本発明による一実施例の広告料管理テーブルを示す図である。
【図７】本発明による一実施例のＰＣ管理テーブルを示す図である。
【図８】本発明による一実施例の端末連携型広告配信システムの動作を示すフローチャートである。
【発明を実施するための形態】
【００１９】
［端末連携型広告配信システムの構成］
本発明による一実施例の端末連携型広告配信システムについて、図面を参照して詳細に説明する。図１は、本発明による一実施例の端末連携型広告配信システムの概略を示すブロック図である。端末連携型広告配信システムは、広告配信装置１と、携帯端末用コンテンツ提供者サーバ２と、携帯電話網３と、携帯端末４と、広告主サーバ５と、インターネット網６と、ＰＣ７とを備える。なお、説明の便宜上、携帯端末用コンテンツ提供者サーバ２、携帯端末４、広告主サーバ５、及びＰＣ７を１つずつ図示するが、これらを複数備えることができるのは勿論である。
【００２０】
本発明では、広告配信装置１が、同一ユーザの使用する携帯端末４とＰＣ７との対応関係を保持するとともに、携帯端末４における広告閲覧履歴を一時蓄積することにより、同一ユーザが利用するＰＣ７の起動時に、広告閲覧履歴に基づいて以前携帯端末で見ていた広告と同じ広告主のＰＣ用のコンテンツ（ＷｅｂページやＦｌａｓｈコンテンツ、動画等）をＰＣ７に提示することを可能とする。
【００２１】
広告配信装置１は、広告主からの広告を保管し、予め広告表示枠を設定したＷｅｂページを携帯端末用コンテンツ提供者サーバ２が携帯端末４に配信する際に、ページ内容に関連した適切な広告を配信する。なお、ページ内容に関連した適切な広告を配信する機能は、既存技術に基づいて行われるため、説明を省略する。
【００２２】
また、広告配信装置１は、携帯端末４においてユーザにより広告がクリック（選択）されると、広告閲覧履歴を保存し、その後同一ユーザによりＰＣ７が起動されると、同一広告主のＰＣ用のコンテンツを広告主サーバ５からＰＣ７に配信させる。また、広告配信装置１は、ユーザが携帯端末用広告を選択した回数やＰＣ用広告を閲覧した回数に応じた広告料を携帯端末用コンテンツ提供者サーバ２に支払うための仕組みを有する。
【００２３】
携帯端末用コンテンツ提供者サーバ２は、携帯端末４用のＷｅｂサービスを提供し、Ｗｅｂページ内に予め広告配信装置１から広告を掲載するための仕組みを設け、自身の提供するページに広告配信装置１から配信される広告を挿入してユーザに提示する。
【００２４】
携帯電話網３は、携帯電話網等の携帯端末用の網であり、広告配信装置１と、携帯端末用コンテンツ提供者サーバ２と、携帯端末４と、広告主サーバ５との間で、Ｗｅｂページの配信機能を提供する。
【００２５】
携帯端末４は、携帯電話等の携帯用の端末であり、Ｗｅｂページの閲覧要求を送信する機能や、Ｗｅｂページを表示する機能を有する。
【００２６】
広告主サーバ５は、広告配信装置１に広告を掲載している広告主のコンテンツサーバであり、携帯端末４によってこの広告主の広告が選択された場合には、携帯端末４に携帯端末用の広告コンテンツを提供し、その後同一ユーザが所定の期間内にＰＣ７を起動した場合には、ＰＣ７にＰＣ用の広告コンテンツを提供する。
【００２７】
インターネット網６は、広告配信装置１と、広告主サーバ５と、ＰＣ７との間で、ＩＰ通信機能を提供する。
【００２８】
ＰＣ７は、携帯端末４と同一ユーザによって利用されるものであり、広告主サーバ５が提供するＷｅｂページやＦｌａｓｈコンテンツ、動画等を表示する。
【００２９】
図２は、本発明による一実施例の端末連携型広告配信システムの構成を示すブロック図である。広告配信装置１は、閲覧履歴管理部１１と、広告配信部１２と、端末管理部１３とを備える。携帯端末４は、Ｗｅｂ閲覧部４１を備える。ＰＣ７は、広告提示部７１を有する。また、広告配信装置１は、図３に示す広告閲覧履歴テーブルＴ１と、図４に示す携帯端末管理テーブルＴ２と、図５に示す広告管理テーブルＴ３と、図６に示す広告料管理テーブルＴ４と、図７に示すＰＣ管理テーブルＴ５とを格納する記憶部（図示せず）を備える。
【００３０】
広告閲覧履歴テーブルＴ１は、ユーザの携帯端末４における広告閲覧履歴を管理するものであり、ユーザを広告配信装置１内で一意に識別するユーザ識別子１０１、ユーザが閲覧した広告を広告配信装置１内で一意に識別する広告識別子１０２、ユーザが携帯端末で広告を閲覧した閲覧日時１０３、及びユーザが閲覧した広告を掲載したＷｅｂページのコンテンツ提供者を広告配信装置１内で一意に識別するコンテンツ提供者識別子１０４の組み合わせが１レコードを構成する。
【００３１】
携帯端末管理テーブルＴ２は、ユーザの保有する携帯端末４を管理するものであり、ユーザ識別子１０１、及び携帯端末４を広告配信装置１内で一意に識別する携帯端末識別子１０５の組み合わせが１レコードを構成する。なお、携帯端末管理テーブルＴ２の情報は、本サービス利用前に予め登録されているものとする。
【００３２】
広告管理テーブルＴ３は、広告配信システムが配信する広告の情報を管理するものであり、広告識別子１０２、携帯端末用広告料１０６、広告主サーバが携帯端末に配信するコンテンツの所在を示す携帯端末用広告主サイトアドレス１０７、ＰＣ用広告料１０８、及び広告主サーバがＰＣに配信するコンテンツの所在を示すＰＣ用広告主サイトアドレス１０９の組み合わせが１レコードを構成する。なお、携帯端末管理テーブルＴ３の情報は、本サービス利用前に予め登録されているものとする。
【００３３】
広告料管理テーブルＴ４は、携帯端末用コンテンツ提供者に支払う広告料を管理するものであり、コンテンツ提供者識別子１０４、及び広告料１１０の組み合わせが１レコードを構成する。
【００３４】
ＰＣ管理テーブルＴ５は、ユーザの保有するＰＣ７を管理するものであり、ユーザ識別子１０１、及びＰＣ７を広告配信装置１内で一意に識別するＰＣ識別子１１１の組み合わせが１レコードを構成する。なお、ＰＣ管理テーブルＴ５の情報は、本サービス利用前に予め登録されているものとする。
【００３５】
閲覧履歴管理部１１は、携帯端末４における広告閲覧履歴を広告閲覧履歴テーブルＴ１に記録して管理する。閲覧履歴管理部１１は、広告閲覧履歴テーブルＴ１の各レコードの閲覧日時１０３をチェックし、閲覧日時から所定の期間（例えば、１日）を経過した時に、そのレコードを削除する。また、端末管理部１３がＰＣ用の広告コンテンツを広告主サーバ５からＰＣ７に配信させると、広告閲覧履歴テーブルＴ１を参照し、ＰＣ７と同一ユーザが利用する携帯端末４における広告閲覧履歴のレコードを削除する。
【００３６】
広告配信部１２は、携帯電話網３を介して携帯端末用コンテンツ提供者サーバ２が提供するＷｅｂページの内容に関連した広告を配信し、携帯端末４によってその広告が選択された場合には、Ｗｅｂ閲覧部４１から携帯端末識別子１０５、広告識別子１０２、及びその広告が表示されたＷｅｂページを提供する携帯端末用コンテンツ提供者サーバ２を識別するコンテンツ提供者識別子１０４を取得する。また、広告管理テーブルＴ３を参照して広告識別子１０２に対応する携帯端末用広告料１０６を抽出し、携帯端末用コンテンツ提供者サーバ２に支払われる広告料に加算する
【００３７】
端末管理部１３は、ＰＣ７の起動状況を監視するとともに、ＰＣ７が起動されると、ＰＣ７と同一ユーザが利用する携帯端末４における広告閲覧履歴の有無を広告閲覧履歴テーブルＴ１により確認し、広告閲覧履歴が存在する場合には、ＰＣ用の広告コンテンツを広告主サーバ５からＰＣ７に配信させる。また、広告管理テーブルＴ３を参照して広告識別子１０２に対応するＰＣ用広告料１０８を抽出し、携帯端末用コンテンツ提供者サーバ２に支払われる広告料に加算する。
【００３８】
Ｗｅｂ閲覧部４１は、携帯端末用Ｗｅｂページを携帯端末４の画面上に表示する。また、ユーザが広告を選択すると、広告配信部１２に対して、携帯端末識別子１０５、広告識別子１０２、及びコンテンツ提供者識別子１０４を送信する。
【００３９】
広告提示部７１は、ＰＣ７の起動時にＰＣ識別子１１１を端末管理部１３に送信する。また、端末管理部１３からの指示に基づき、広告主サーバ５の提供するＰＣ用の広告コンテンツ（Ｗｅｂページ、Ｆｌａｓｈコンテンツ、動画等）をＰＣ７の画面上に表示する。
【００４０】
次に、本発明による端末連携型広告配信システムの動作について、図８を参照して説明する。
【００４１】
［端末連携型広告配信システムの動作］
図８は、端末連携型広告配信システムの動作を示すフローチャートである。ステップＳ１０１では、ユーザからＷｅｂページの閲覧要求がなされると、Ｗｅｂ閲覧部４１は、携帯端末用コンテンツ提供者サーバ２にＷｅｂページの閲覧要求を送信する。携帯端末用コンテンツ提供者サーバ２は、閲覧要求を受信すると、広告配信装置１が配信する広告を表示するための広告表示領域を組み込んだＷｅｂページをＷｅｂ閲覧部４１に返信する。
【００４２】
ステップＳ１０２では、Ｗｅｂ閲覧部４１は、携帯端末用コンテンツ提供者サーバ２からＷｅｂページを受信すると、広告配信部１２に対して広告配信を要求する。広告配信部１２は、この要求に応じてＷｅｂページの内容に関連する広告を配信する。Ｗｅｂ閲覧部４１は、広告配信部１２から配信された広告を、携帯端末用コンテンツ提供者サーバ２から受信したＷｅｂページの指定された広告表示領域に表示する。
【００４３】
ステップＳ１０３では、配信された広告の１つがユーザによって選択されると、Ｗｅｂ閲覧部４１は、携帯端末を識別する携帯端末識別子１０５、選択した広告を識別する広告識別子１０２、及びその広告が表示されたＷｅｂページを提供する携帯端末用コンテンツ提供者サーバ２を識別するコンテンツ提供者識別子１０４を広告配信部１２に送信する。
【００４４】
ステップＳ１０４では、広告配信部１２は、携帯端末管理テーブルＴ２を参照して、携帯端末識別子１０５を有するレコードのユーザ識別子１０１を抽出し、抽出したユーザ識別子１０１と、現在時刻（即ち、閲覧日時１０３）と、Ｗｅｂ閲覧部４１から受信した広告識別子１０２及びコンテンツ提供者識別子１０４との登録を閲覧履歴管理部１１に依頼する。閲覧履歴管理部１１は、これらの広告閲覧履歴を広告閲覧履歴テーブルＴ１に１つのレコードとして登録する。
【００４５】
ステップＳ１０５では、広告配信部１２は、広告管理テーブルＴ３を参照して、広告識別子１０２を有するレコードの携帯端末用広告料１０６を抽出し、広告料管理テーブルＴ４の当該コンテンツ提供者識別子１０４を有するレコードの広告料１１０の値に加算する。
【００４６】
ステップＳ１０６では、広告配信部１２は、広告管理テーブルＴ３を参照して、当該広告識別子１０２を有するレコードの携帯端末用広告主サイトアドレス１０７を抽出し、Ｗｅｂ閲覧部４１に送信する。Ｗｅｂ閲覧部４１は、携帯端末用広告主サイトアドレス１０７を受信すると、携帯端末用広告主サイトアドレス１０７を有する広告主サーバ５にアクセスし、携帯端末用広告主サイトを携帯端末４の画面上に表示させる。
【００４７】
次に、ステップＳ１０７で、ＰＣ７が起動されると、広告提示部７１は、そのＰＣ７を識別するＰＣ識別子１１１を端末管理部１３に送信する。
【００４８】
ステップＳ１０８では、端末管理部１３は、ＰＣ管理テーブルＴ５を参照して、ＰＣ識別子１１１を有するレコードのユーザ識別子１０１を抽出し、閲覧履歴管理部１１に対して、本ユーザの広告閲覧履歴の有無を問い合わせる。
【００４９】
ステップＳ１０９では、閲覧履歴管理部１１は、広告閲覧履歴テーブルＴ１を参照し、当該ユーザ識別子１０１のレコードが存在するか否かを検索し、レコードが存在する場合には、そのレコードの広告識別子１０２を端末管理部１３に返答し、処理をステップＳ１１０に進める。レコードが存在しない場合には、ＰＣ７と同一ユーザの携帯端末４により広告が選択されていないため、処理を終了する。
【００５０】
ステップＳ１１０では、端末管理部１３は、広告管理テーブルＴ３を参照し、当該広告識別子１０２を有するレコードのＰＣ用広告サイトアドレス１０９を抽出し、広告提示部７１に送信する。広告提示部７１は、ＰＣ用広告主サイトアドレス１０９を受信すると、ＰＣ用広告主サイトアドレス１０９を有する広告主サーバ５にアクセスし、ＰＣ用広告主サイトをＰＣ７の画面上に表示させる。
【００５１】
ステップＳ１１１では、端末管理部１３は、広告管理テーブルＴ３を参照し、当該広告識別子１０２を有するレコードのＰＣ用広告料１０８を抽出する。また、広告閲覧履歴テーブルＴ１を参照し、当該ユーザ識別子１０１を有するレコードのコンテンツ提供者識別子１０４を抽出し、広告料管理テーブルＴ４の当該コンテンツ提供者識別子１０４を有するレコードの広告料１１０の値にＰＣ用広告料１０８を加算する。
【００５２】
ステップＳ１１２では、閲覧履歴管理部１１は、広告閲覧履歴テーブルＴ１を参照し、当該ユーザ識別子１０１を有するレコードを削除する。
【００５３】
このような処理を行うことにより、携帯端末４で広告を閲覧したユーザが、自身のＰＣ７を起動した際に、ユーザ自身が操作をすることなく、同じ広告主の広告を表示させることができる。
【００５４】
ここで、広告配信装置１として機能させるために、コンピュータを好適に用いることができ、そのようなコンピュータは、閲覧履歴管理部１１、広告配信部１２、及び端末管理部１３を機能させるための制御部を、ＣＰＵ（中央演算処理装置）と記憶部とで実現できる。
【００５５】
また、そのようなコンピュータに、ＣＰＵによって所定のプログラムを実行させることにより、閲覧履歴管理部１１、広告配信部１２、及び端末管理部１３の有する機能を実現させることができる。さらに、閲覧履歴管理部１１、広告配信部１２、及び端末管理部１３の有する機能を実現させるためのプログラムを、前述の記憶部の所定の領域に格納することができる。そのような記憶部は、コンピュータ内部のＲＡＭなど、外部記憶装置（例えば、ハードディスク）、又は広告配信装置１としてのコンピュータで利用されるＯＳ上のソフトウェア（ＲＯＭ又は外部記憶装置に格納される）の一部で構成させることができる。
【００５６】
上述の実施例は、代表的な例として説明したが、本発明の趣旨及び範囲内で、多くの変更及び置換ができることは当業者に明らかである。従って、本発明は、上述の実施例によって制限するものと解するべきではなく、特許請求の範囲から逸脱することなく、種々の変形や変更が可能である。
【産業上の利用可能性】
【００５７】
このように、本発明によれば、携帯端末でＷｅｂサイトの広告を閲覧したユーザが、自身のＰＣを起動した際に同じ広告主の広告を閲覧することができるので、Ｗｅｂページ上に広告を配信する任意の用途に有用である。
【符号の説明】
【００５８】
１    広告配信装置
２    携帯端末用コンテンツ提供者サーバ
３    携帯電話網
４    携帯端末
５    広告主サーバ
６    インターネット網
７    ＰＣ
１１  閲覧履歴管理部
１２  広告配信部
１３  端末管理部
４１  Ｗｅｂ閲覧部
７１  広告提示部
【図１】
2011258132.tif 000003
【図２】
2011258132.tif 000004
【図３】
2011258132.tif 000005
【図４】
2011258132.tif 000006
【図５】
2011258132.tif 000007
【図６】
2011258132.tif 000008
【図７】
2011258132.tif 000009
【図８】
2011258132.tif 000010